【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
複数のアンテナを介して複数のワイヤレスノードと通信するためのインターフェースと、
処理システムと
を備え、前記処理システムが、
前記複数のワイヤレスノードの各々の電力状態を決定することと、
前記ワイヤレスノードの前記決定された電力状態に基づいて、第１の数の空間ストリームを使用して前記ワイヤレスノードと通信するために使用される第１のアンテナモードから、第２の数の空間ストリームを使用して前記ワイヤレスノードと通信するために使用される第２のアンテナモードに変化することと、
前記第２のアンテナモードに変化すると、物理レイヤエラー検出モードを可能にすることと、前記物理レイヤエラー検出モードが、前記第２のアンテナモードでサポートされない１つまたは複数のレートにおける１つまたは複数の送信を検出することが可能である、
を行うように構成され、前記物理レイヤエラー検出モードが、パケットのプリアンブルの信号フィールド中で示されるストリームの数を、前記第２のアンテナモードでサポートされるストリームの数と比較することを備える、装置。
【請求項２】
前記処理システムが、
前記ワイヤレスノードのうちの１つまたは複数からの１つまたは複数の送信を検出することと、
前記検出の後に、前記第２のアンテナモードから異なるアンテナモードに変化することと
を行うようにさらに構成された、請求項１に記載の装置。
【請求項３】
前記検出が、前記第２のアンテナモードでサポートされない前記ワイヤレスノードのうちの１つまたは複数からの１つまたは複数の送信を検出することを備える、請求項２に記載の装置。
【請求項４】
前記異なるアンテナモードが前記第１のアンテナモードを備える、請求項２に記載の装置。
【請求項５】
前記処理システムは、
前記物理レイヤエラー検出モード中に、前記パケットの前記プリアンブルの前記信号フィールド中で示されるストリームの前記数が、前記第２のアンテナモードでサポートされるストリームの前記数よりも大きい場合、エラーを検出することと、
前記プリアンブルの後の前記パケットの残りの部分を処理するより前に、前記第２のアンテナモードから前記異なるアンテナモードに変化することと
を行うようにさらに構成された、請求項１に記載の装置。
【請求項６】
前記処理システムは、
前記物理レイヤエラー検出モード中に、パケットのプリアンブルに基づいてエラーを検出することと、
前記プリアンブルの後の前記パケットの部分を処理するより前に、前記第２のアンテナモードから前記異なるアンテナモードに変化することと
を行うようにさらに構成された、請求項１に記載の装置。
【請求項７】
前記第２のアンテナモードは、前記複数のワイヤレスノードの各々が第１の電力状態にあることが決定された場合、シングルストリームモードを備える、請求項１に記載の装置。
【請求項８】
前記処理システムが、
前記シングルストリームモードで、ビーコン、またはプローブ要求に対する応答のうちの少なくとも１つを生成することと、
送信のために前記インターフェースに前記ビーコンまたは前記応答のうちの前記少なくとも１つを出力することと
を行うようにさらに構成された、請求項７に記載の装置。
【請求項９】
前記処理システムは、
前記ワイヤレスノードのうちの１つまたは複数からのマルチストリーム送信を検出することと、
前記検出の後に、前記第２のアンテナモードから異なるアンテナモードに変化することと、ここにおいて、前記異なるアンテナモードがマルチストリームモードを備える、
を行うようにさらに構成された、請求項１に記載の装置。
【請求項１０】
前記処理システムが、
前記装置のターゲットアドレスをもつ送信可（ＣＴＳ）送信を送ること
によって、前記第１のアンテナモードから前記第２のアンテナモードに変化するように構成された、請求項１に記載の装置。
【請求項１１】
前記処理システムが、部分的に、前記装置の周辺構成要素相互接続エクスプレス（ＰＣＩｅ）リンクの電力状態を切り替えることによって、前記第１のアンテナモードから前記第２のアンテナモードに変化するようにさらに構成された、請求項１に記載の装置。
【請求項１２】
前記処理システムは、
ワイヤレスノードが前記装置に関連付けられないと決定することと、
前記決定の後に、前記装置の１つまたは複数の受信機の感度を低減することと
を行うようにさらに構成された、請求項１に記載の装置。
【請求項１３】
前記処理システムが、
ビーコン通知、または
配信トラフィック指示マップ（ＤＴＩＭ）ブロードキャスト送信中で送信される通知、
のうちの少なくとも１つによって、前記第１のアンテナモードから前記第２のアンテナモードへの前記変化を前記ワイヤレスノードに通知するようにさらに構成された、請求項１に記載の装置。
【請求項１４】
前記決定が、
前記ワイヤレスノードの各々に関連付けられたネットワークアクティビティを監視すること
を備える、請求項１に記載の装置。
【請求項１５】
前記処理システムは、
前記監視することが、しきい値時間期間中に特定のワイヤレスノードのためのネットワークアクティビティがないことを示す場合、その特定のワイヤレスノードが非アクティブであると決定することと、
前記特定のワイヤレスノードが非アクティブであるという前記決定に部分的に基づいて、前記第１のアンテナモードから第２のアンテナモードに変化することと
を行うようにさらに構成された、請求項１４に記載の装置。
【請求項１６】
複数のワイヤレスノードの各々の電力状態を決定することと、
前記ワイヤレスノードの前記決定された電力状態に基づいて、第１の数の空間ストリームを使用して前記ワイヤレスノードと通信するために使用される第１のアンテナモードから、第２の数の空間ストリームを使用して前記ワイヤレスノードと通信するために使用される第２のアンテナモードに変化することと、
前記第２のアンテナモードに変化すると、物理レイヤエラー検出モードを可能にすることと、前記物理レイヤエラー検出モードが、前記第２のアンテナモードでサポートされない１つまたは複数のレートにおける１つまたは複数の送信を検出することが可能である、
を備え、前記物理レイヤエラー検出モードが、パケットのプリアンブルの信号フィールド中で示されるストリームの数を、前記第２のアンテナモードでサポートされるストリームの数と比較することを備える、ワイヤレス通信のための方法。
【請求項１７】
前記ワイヤレスノードのうちの１つまたは複数からの１つまたは複数の送信を検出することと、
前記検出の後に、前記第２のアンテナモードから異なるアンテナモードに変化することと
をさらに備える、請求項１６に記載の方法。
【請求項１８】
前記検出することが、前記第２のアンテナモードでサポートされない前記ワイヤレスノードのうちの１つまたは複数からの１つまたは複数の送信を検出することを備える、請求項１７に記載の方法。
【請求項１９】
パケットのプリアンブルに基づいてエラーを検出することと、
前記プリアンブルの後の前記パケットの部分を処理するより前に、前記第２のアンテナモードから前記異なるアンテナモードに変化することと
をさらに備える、請求項１６に記載の方法。
【請求項２０】
前記第２のアンテナモードは、前記複数のワイヤレスノードの各々が第１の電力状態にあることが決定された場合、シングルストリームモードを備える、請求項１６に記載の方法。
【請求項２１】
前記ワイヤレスノードのうちの１つまたは複数からのマルチストリーム送信を検出することと、
前記検出することの後に、前記第２のアンテナモードから異なるアンテナモードに変化することと、ここにおいて、前記異なるアンテナモードがマルチストリームモードを備える、
をさらに備える、請求項１６に記載の方法。
【請求項２２】
前記第１のアンテナモードから前記第２のアンテナモードに前記変化することが、装置のターゲットアドレスをもつ送信可（ＣＴＳ）送信を送ることを備える、請求項１６に記載の方法。
【請求項２３】
前記第１のアンテナモードから前記第２のアンテナモードに前記変化することが、部分的に、周辺構成要素相互接続エクスプレス（ＰＣＩｅ）リンクの電力状態を切り替えることを備える、請求項１６に記載の方法。
【請求項２４】
ワイヤレスノードが装置に関連付けられないと決定することと、
前記決定の後に、前記装置の１つまたは複数の受信機の感度を低減することと
をさらに備える、請求項１６に記載の方法。
【請求項２５】
ビーコン通知、または
配信トラフィック指示マップ（ＤＴＩＭ）ブロードキャスト送信中で送信される通知、
のうちの少なくとも１つによって、前記第１のアンテナモードから前記第２のアンテナモードへの前記変化を前記ワイヤレスノードに通知することをさらに備える、請求項１６に記載の方法。
【請求項２６】
複数のアンテナを介して複数のワイヤレスノードと通信するための手段と、
前記複数のワイヤレスノードの各々の電力状態を決定するための手段と、
前記ワイヤレスノードの前記決定された電力状態に基づいて、第１の数の空間ストリームを使用して前記ワイヤレスノードと通信するために使用される第１のアンテナモードから、第２の数の空間ストリームを使用して前記ワイヤレスノードと通信するために使用される第２のアンテナモードに変化するための手段と、
前記第２のアンテナモードに変化すると、物理レイヤエラー検出モードを可能にするための手段と、前記物理レイヤエラー検出モードが、前記第２のアンテナモードでサポートされない１つまたは複数のレートにおける１つまたは複数の送信を検出することが可能である、
を備え、前記物理レイヤエラー検出モードが、パケットのプリアンブルの信号フィールド中で示されるストリームの数を、前記第２のアンテナモードでサポートされるストリームの数と比較することを備える、ワイヤレス通信のための装置。
【請求項２７】
少なくとも１つのプロセッサによって実行されると、
複数のワイヤレスノードの各々の電力状態を決定することと、
前記ワイヤレスノードの前記決定された電力状態に基づいて、第１の数の空間ストリームを使用して前記ワイヤレスノードと通信するために使用される第１のアンテナモードから、第２の数の空間ストリームを使用して前記ワイヤレスノードと通信するために使用される第２のアンテナモードに変化することと、
前記第２のアンテナモードに変化すると、物理レイヤエラー検出モードを可能にすることと、前記物理レイヤエラー検出モードが、前記第２のアンテナモードでサポートされない１つまたは複数のレートにおける１つまたは複数の送信を検出することが可能である、
を行うように前記少なくとも１つのプロセッサを構成する命令を備え、前記物理レイヤエラー検出モードが、パケットのプリアンブルの信号フィールド中で示されるストリームの数を、前記第２のアンテナモードでサポートされるストリームの数と比較することを備える、非一時的コンピュータ可読媒体。
【手続補正２】
【補正対象書類名】明細書
【補正対象項目名】００８３
【補正方法】変更
【補正の内容】
【００８３】
[0088]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に本願の出願当初の特許請求の範囲に記載された発明を付記する。
［Ｃ１］
ワイヤレス通信のための装置であって、
複数のアンテナを介して複数のワイヤレスノードと通信するためのインターフェースと、
処理システムと
を備え、前記処理システムが、
前記複数のワイヤレスノードの各々の電力状態を決定することと、
前記ワイヤレスノードの前記決定された電力状態に基づいて、第１の数の空間ストリームを使用して前記ワイヤレスノードと通信するために使用される第１のアンテナモードから、第２の数の空間ストリームを使用して前記ワイヤレスノードと通信するために使用される第２のアンテナモードに変化することと
を行うように構成された、装置。
［Ｃ２］
前記処理システムが、
前記ワイヤレスノードのうちの１つまたは複数からの１つまたは複数の送信を検出することと、
前記検出の後に、前記第２のアンテナモードから異なるアンテナモードに変化することと
を行うようにさらに構成された、Ｃ１に記載の装置。
［Ｃ３］
前記検出が、前記第２のアンテナモードでサポートされない前記ワイヤレスノードのうちの１つまたは複数からの１つまたは複数の送信を検出することを備える、Ｃ２に記載の装置。
［Ｃ４］
前記異なるアンテナモードが前記第１のアンテナモードを備える、Ｃ２に記載の装置。
［Ｃ５］
前記処理システムは、
前記第２のアンテナモードに変化すると、物理レイヤエラー検出モードを可能にすること、前記物理レイヤエラー検出モードが、前記第２のアンテナモードでサポートされない１つまたは複数のレートにおける１つまたは複数の送信を検出することが可能である、を行うようにさらに構成された、Ｃ１に記載の装置。
［Ｃ６］
前記物理レイヤエラー検出モードが、パケットのプリアンブルの信号フィールド中で示されるストリームの数を、前記第２のアンテナモードでサポートされるストリームの数と比較することを備える、Ｃ５に記載の装置。
［Ｃ７］
前記処理システムは、
前記物理レイヤエラー検出モード中に、前記パケットの前記プリアンブルの前記信号フィールド中で示されるストリームの前記数が、前記第２のアンテナモードでサポートされるストリームの前記数よりも大きい場合、エラーを検出することと、
前記プリアンブルの後の前記パケットの残りの部分を処理するより前に、前記第２のアンテナモードから前記異なるアンテナモードに変化することと
を行うようにさらに構成された、Ｃ６に記載の装置。
［Ｃ８］
前記処理システムは、
前記物理レイヤエラー検出モード中に、パケットのプリアンブルに基づいてエラーを検出することと、
前記プリアンブルの後の前記パケットの部分を処理するより前に、前記第２のアンテナモードから前記異なるアンテナモードに変化することと
を行うようにさらに構成された、Ｃ５に記載の装置。
［Ｃ９］
前記第２のアンテナモードは、前記複数のワイヤレスノードの各々が第１の電力状態にあることが決定された場合、シングルストリームモードを備える、Ｃ１に記載の装置。
［Ｃ１０］
前記処理システムが、
前記シングルストリームモードで、ビーコン、またはプローブ要求に対する応答のうちの少なくとも１つを生成することと、
送信のために前記インターフェースに前記ビーコンまたは前記応答のうちの前記少なくとも１つを出力することと
を行うようにさらに構成された、Ｃ９に記載の装置。
［Ｃ１１］
前記処理システムは、
前記ワイヤレスノードのうちの１つまたは複数からのマルチストリーム送信を検出することと、
前記検出の後に、前記第２のアンテナモードから異なるアンテナモードに変化することと、ここにおいて、前記異なるアンテナモードがマルチストリームモードを備える、
を行うようにさらに構成された、Ｃ１に記載の装置。
［Ｃ１２］
前記処理システムが、
前記装置のターゲットアドレスをもつ送信可（ＣＴＳ）送信を送ること
によって、前記第１のアンテナモードから前記第２のアンテナモードに変化するように構成された、Ｃ１に記載の装置。
［Ｃ１３］
前記処理システムが、部分的に、前記装置の周辺構成要素相互接続エクスプレス（ＰＣＩｅ）リンクの電力状態を切り替えることによって、前記第１のアンテナモードから前記第２のアンテナモードに変化するようにさらに構成された、Ｃ１に記載の装置。
［Ｃ１４］
前記処理システムは、
ワイヤレスノードが前記装置に関連付けられないと決定することと、
前記決定の後に、前記装置の１つまたは複数の受信機の感度を低減することと
を行うようにさらに構成された、Ｃ１に記載の装置。
［Ｃ１５］
前記処理システムが、
ビーコン通知、または
配信トラフィック指示マップ（ＤＴＩＭ）ブロードキャスト送信中で送信される通知のうちの少なくとも１つによって、前記第１のアンテナモードから前記第２のアンテナモードへの前記変化を前記ワイヤレスノードに通知するようにさらに構成された、Ｃ１に記載の装置。
［Ｃ１６］
前記決定が、
前記ワイヤレスノードの各々に関連付けられたネットワークアクティビティを監視すること
を備える、Ｃ１に記載の装置。
［Ｃ１７］
前記処理システムは、
前記監視することが、しきい値時間期間中に特定のワイヤレスノードのためのネットワークアクティビティがないことを示す場合、その特定のワイヤレスノードが非アクティブであると決定することと、
前記特定のワイヤレスノードが非アクティブであるという前記決定に部分的に基づいて、前記第１のアンテナモードから第２のアンテナモードに変化することと
を行うようにさらに構成された、Ｃ１６に記載の装置。
［Ｃ１８］
複数のワイヤレスノードの各々の電力状態を決定することと、
前記ワイヤレスノードの前記決定された電力状態に基づいて、第１の数の空間ストリームを使用して前記ワイヤレスノードと通信するために使用される第１のアンテナモードから、第２の数の空間ストリームを使用して前記ワイヤレスノードと通信するために使用される第２のアンテナモードに変化することと
を備える、ワイヤレス通信のための方法。
［Ｃ１９］
前記ワイヤレスノードのうちの１つまたは複数からの１つまたは複数の送信を検出することと、
前記検出の後に、前記第２のアンテナモードから異なるアンテナモードに変化することと
をさらに備える、Ｃ１８に記載の方法。
［Ｃ２０］
前記検出することが、前記第２のアンテナモードでサポートされない前記ワイヤレスノードのうちの１つまたは複数からの１つまたは複数の送信を検出することを備える、Ｃ１９に記載の方法。
［Ｃ２１］
前記異なるアンテナモードが前記第１のアンテナモードを備える、Ｃ１９に記載の方法。
［Ｃ２２］
前記第２のアンテナモードに変化すると、物理レイヤエラー検出モードを可能にすること、前記物理レイヤエラー検出モードが、前記第２のアンテナモードでサポートされない１つまたは複数のレートにおける１つまたは複数の送信を検出することが可能である、をさらに備える、Ｃ１８に記載の方法。
［Ｃ２３］
前記物理レイヤエラー検出モードが、パケットのプリアンブルの信号フィールド中で示されるストリームの数を、前記第２のアンテナモードでサポートされるストリームの数と比較することを備える、Ｃ２２に記載の方法。
［Ｃ２４］
前記パケットの前記プリアンブルの前記信号フィールド中で示されるストリームの前記数が、前記第２のアンテナモードでサポートされるストリームの前記数よりも大きい場合、エラーを検出することと、
前記プリアンブルの後の前記パケットの残りの部分を処理するより前に、前記第２のアンテナモードから前記異なるアンテナモードに変化することと
をさらに備える、Ｃ２３に記載の方法。
［Ｃ２５］
パケットのプリアンブルに基づいてエラーを検出することと、
前記プリアンブルの後の前記パケットの部分を処理するより前に、前記第２のアンテナモードから前記異なるアンテナモードに変化することと
をさらに備える、Ｃ２２に記載の方法。
［Ｃ２６］
前記第２のアンテナモードは、前記複数のワイヤレスノードの各々が第１の電力状態にあることが決定された場合、シングルストリームモードを備える、Ｃ１８に記載の方法。
［Ｃ２７］
前記シングルストリームモードで、ビーコン、またはプローブ要求に対する応答のうちの少なくとも１つを生成することと、
送信のために前記インターフェースに前記ビーコンまたは前記応答のうちの前記少なくとも１つを出力することと
をさらに備える、Ｃ２６に記載の方法。
［Ｃ２８］
前記ワイヤレスノードのうちの１つまたは複数からのマルチストリーム送信を検出することと、
前記検出することの後に、前記第２のアンテナモードから異なるアンテナモードに変化することと、ここにおいて、前記異なるアンテナモードがマルチストリームモードを備える、
をさらに備える、Ｃ１８に記載の方法。
［Ｃ２９］
前記第１のアンテナモードから前記第２のアンテナモードに前記変化することが、装置のターゲットアドレスをもつ送信可（ＣＴＳ）送信を送ることを備える、Ｃ１８に記載の方法。
［Ｃ３０］
前記第１のアンテナモードから前記第２のアンテナモードに前記変化することが、部分的に、周辺構成要素相互接続エクスプレス（ＰＣＩｅ）リンクの電力状態を切り替えることによって備える、Ｃ１８に記載の方法。
［Ｃ３１］
ワイヤレスノードが前記装置に関連付けられないと決定することと、
前記決定の後に、前記装置の１つまたは複数の受信機の感度を低減することと
をさらに備える、Ｃ１８に記載の方法。
［Ｃ３２］
ビーコン通知、または
配信トラフィック指示マップ（ＤＴＩＭ）ブロードキャスト送信中で送信される通知のうちの少なくとも１つによって、前記第１のアンテナモードから前記第２のアンテナモードへの前記変化を前記ワイヤレスノードに通知することをさらに備える、Ｃ１８に記載の方法。
［Ｃ３３］
前記決定することが、
前記ワイヤレスノードの各々に関連付けられたネットワークアクティビティを監視すること
を備える、Ｃ１８に記載の方法。
［Ｃ３４］
前記決定することは、
前記監視することが、しきい値時間期間中に特定のワイヤレスノードのためのネットワークアクティビティがないことを示す場合、その特定のワイヤレスノードが非アクティブであると決定することと、
前記特定のワイヤレスノードが非アクティブであるという前記決定に部分的に基づいて、前記第１のアンテナモードから第２のアンテナモードに変化することと
をさらに備える、Ｃ３３に記載の方法。
［Ｃ３５］
複数のアンテナを介して複数のワイヤレスノードと通信するための手段と、
前記複数のワイヤレスノードの各々の電力状態を決定するための手段と、
前記ワイヤレスノードの前記決定された電力状態に基づいて、第１の数の空間ストリームを使用して前記ワイヤレスノードと通信するために使用される第１のアンテナモードから、第２の数の空間ストリームを使用して前記ワイヤレスノードと通信するために使用される第２のアンテナモードに変化するための手段と
を備える、ワイヤレス通信のための装置。
［Ｃ３６］
前記ワイヤレスノードのうちの１つまたは複数からの１つまたは複数の送信を検出するための手段と、
前記検出の後に、前記第２のアンテナモードから異なるアンテナモードに変化するための手段と
をさらに備える、Ｃ３５に記載の装置。
［Ｃ３７］
検出するための前記手段が、前記第２のアンテナモードでサポートされない前記ワイヤレスノードのうちの１つまたは複数からの１つまたは複数の送信を検出することを備える、Ｃ３６に記載の装置。
［Ｃ３８］
前記異なるアンテナモードが前記第１のアンテナモードを備える、Ｃ３６に記載の装置。
［Ｃ３９］
前記第２のアンテナモードに変化すると、物理レイヤエラー検出モードを可能にするための手段、前記物理レイヤエラー検出モードが、前記第２のアンテナモードでサポートされない１つまたは複数のレートにおける１つまたは複数の送信を検出することが可能である、
をさらに備える、Ｃ３５に記載の装置。
［Ｃ４０］
前記物理レイヤエラー検出モードが、パケットのプリアンブルの信号フィールド中で示されるストリームの数を、前記第２のアンテナモードでサポートされるストリームの数と比較することを備える、Ｃ３９に記載の装置。
［Ｃ４１］
前記パケットの前記プリアンブルの前記信号フィールド中で示されるストリームの前記数が、前記第２のアンテナモードでサポートされるストリームの前記数よりも大きい場合、エラーを検出するための手段と、
前記プリアンブルの後の前記パケットの残りの部分を処理するより前に、前記第２のアンテナモードから前記異なるアンテナモードに変化するための手段と
をさらに備える、Ｃ４０に記載の装置。
［Ｃ４２］
パケットのプリアンブルに基づいてエラーを検出するための手段と、
前記プリアンブルの後の前記パケットの部分を処理するより前に、前記第２のアンテナモードから前記異なるアンテナモードに変化するための手段と
をさらに備える、Ｃ３９に記載の装置。
［Ｃ４３］
前記第２のアンテナモードは、前記複数のワイヤレスノードの各々が第１の電力状態にあることが決定された場合、シングルストリームモードを備える、Ｃ３５に記載の装置。
［Ｃ４４］
前記シングルストリームモードで、ビーコン、またはプローブ要求に対する応答のうちの少なくとも１つを生成するための手段と、
送信のために前記インターフェースに前記ビーコンまたは前記応答のうちの前記少なくとも１つを出力するための手段と
をさらに備える、Ｃ４３に記載の装置。
［Ｃ４５］
前記ワイヤレスノードのうちの１つまたは複数からマルチストリーム送信を検出するための手段と、
前記検出の後に、前記第２のアンテナモードから異なるアンテナモードに変化することと、ここにおいて、前記異なるアンテナモードがマルチストリームモードを備える、
をさらに備える、Ｃ３５に記載の装置。
［Ｃ４６］
前記第１のアンテナモードから前記第２のアンテナモードに変化するための手段が、前記装置のターゲットアドレスをもつ送信可（ＣＴＳ）送信を送るための手段を備える、Ｃ３５に記載の装置。
［Ｃ４７］
前記第１のアンテナモードから前記第２のアンテナモードに変化するための前記手段が、周辺構成要素相互接続エクスプレス（ＰＣＩｅ）リンクの電力状態を切り替えるための手段を備える、Ｃ３５に記載の装置。
［Ｃ４８］
ワイヤレスノードが前記装置に関連付けられないと決定するための手段と、
前記決定の後に、前記装置の１つまたは複数の受信機の感度を低減するための手段とをさらに備える、Ｃ３５に記載の装置。
［Ｃ４９］
ビーコン通知、または
配信トラフィック指示マップ（ＤＴＩＭ）ブロードキャスト送信中で送信される通知のうちの少なくとも１つによって、前記第１のアンテナモードから前記第２のアンテナモードへの前記変化を前記ワイヤレスノードに通知するための手段をさらに備える、Ｃ３５に記載の装置。
［Ｃ５０］
決定するための前記手段が、
前記ワイヤレスノードの各々に関連付けられたネットワークアクティビティを監視するための手段
を備える、Ｃ３５に記載の装置。
［Ｃ５１］
決定するための前記手段は、
前記監視することが、しきい値時間期間中に特定のワイヤレスノードのためのネットワークアクティビティがないことを示す場合、その特定のワイヤレスノードが非アクティブであると決定するための手段と、
前記特定のワイヤレスノードが非アクティブであるという前記決定に部分的に基づいて、前記第１のアンテナモードから第２のアンテナモードに変化するための手段と
をさらに備える、Ｃ５０に記載の装置。
［Ｃ５２］
前記複数のワイヤレスノードの各々の電力状態を決定することと、
前記ワイヤレスノードの前記決定された電力状態に基づいて、第１の数の空間ストリームを使用して前記ワイヤレスノードと通信するために使用される第１のアンテナモードから、第２の数の空間ストリームを使用して前記ワイヤレスノードと通信するために使用される第２のアンテナモードに変化することと
を行うための命令を記憶したコンピュータ可読媒体。
［Ｃ５３］
アクセスポイントであって、
複数のアンテナと、
前記複数のアンテナを介して前記アクセスポイントに関連付けられた複数のワイヤレスノードと通信するためのインターフェースと、
処理システムと
を備え、前記処理システムが、
前記複数のワイヤレスノードの各々の電力状態を決定することと、
前記ワイヤレスノードの前記決定された電力状態に基づいて、第１の数の空間ストリームを使用して前記ワイヤレスノードと通信するために使用される第１のアンテナモードから、第２の数の空間ストリームを使用して前記ワイヤレスノードと通信するために使用される第２のアンテナモードに変化することと
を行うように構成された、アクセスポイント。